(57)【要約】【課題】小型化が可能なフェルール固定部材及びフェルール保持構造を提供する。【解決手段】光ファイバ９を保持するフェルール１１を、フェルール１１が挿入される保持穴３２０が形成された保持部材３に固定するフェルール固定部材５は、フェルール１１の外周側に配置されたコイルばね６をその径方向に挟んで互いに向かい合う第１板部５ｅ及び第２板部５ｆと、フェルール１１がコイルばね６の復元力によって保持穴３２０の奥側に押し付けられるようにコイルばね６を押圧するばね押圧部５ｂと、保持部材３に形成された係止部３３に係止される爪部５ｄと、第２の板部５ｆと爪部５ｄとの間に延在する一対の腕部５ｇとを備え、爪部５ｄは、第１板部５ｅ及び第２板部５ｆを互いに接近させることにより係止部３３との係止状態が解除される。【選択図】図１
2014219441.tif 000002
【特許請求の範囲】
【請求項１】
光ファイバを保持するフェルールを、前記フェルールが挿入される保持穴が形成された保持部材に固定するフェルール固定部材であって、
前記フェルールの外周側に配置された弾性部材をその径方向に挟んで互いに向かい合う第１及び第２の板部と、
前記フェルールが前記弾性部材の復元力によって前記保持穴の奥側に押し付けられるように前記弾性部材を押圧する押圧部と、
前記保持部材に形成された係止部に係止される被係止部と、
前記第２の板部と前記被係止部との間に延在する延在部とを備え、
前記被係止部は、前記第１及び第２の板部を互いに接近させることにより前記係止部との係止状態が解除される
フェルール固定部材。
【請求項２】
前記押圧部は、前記フェルールを挿通させる挿通孔を有し、かつ前記フェルールの長手方向における前記第１及び第２の板部の前記保持穴とは反対側の端部の間を連結するように形成されている、
請求項１に記載のフェルール固定部材。
【請求項３】
前記保持部材の少なくとも一部を収容する筒部をさらに備え、
前記第１の板部は、前記筒部の一方の端部と前記押圧部との間に形成された、
請求項２に記載のフェルール固定部材。
【請求項４】
前記延在部は、前記第２の板部における前記押圧部とは反対側の端部から前記筒部の他方の端部側に延出され、その延在方向が前記フェルールの中心軸に平行な方向に対して前記第１の板部側に傾斜している、
請求項３に記載のフェルール固定部材。
【請求項５】
前記延在部は、前記筒部を挟む一対の腕部からなり、前記被係止部は、前記一対の腕部の端部同士を連結する、
請求項３又は４に記載のフェルール固定部材。
【請求項６】
請求項１乃至５の何れか１項に記載のフェルール固定部材と、
前記弾性部材とを備え、
前記フェルール固定部材の前記被係止部が前記保持部材の前記係止部に係止される際に前記弾性部材が前記フェルールの長手方向に沿って圧縮され、
前記圧縮された前記弾性部材の復元力によって前記フェルールが前記保持部材に保持される、
フェルール保持構造。
【発明の詳細な説明】
【技術分野】
【０００１】
本発明は、本発明は、光ファイバを保持するフェルールを保持部材に固定するフェルール固定部材及びフェルール保持構造に関する。
【背景技術】
【０００２】
従来、ＴＯＳＡ（Transmitter Optical Sub-Assembly：光送信サブアセンブリ）又はＲＯＳＡ（Receiver Optical Sub-Assembly：光受信サブアセンブリ）からなる光サブアセンブリを備え、この光サブアセンブリに固定されるフェルールに保持された光ファイバを信号伝送媒体として通信を行う光トランシーバが知られている（例えば、特許文献１参照。）。
【０００３】
特許文献１に記載の光トランシーバは、光サブアセンブリからフェルールが外れないようにフェルールを固定するロック機構を備えている。このロック機構は、フェルールの長手方向に沿って延びる一対のクリップと、一対のクリップをその中央部で連結するブリッジ部と、フェルールに固定された前方ストップリングと、ブリッジ部と前方ストップリングとの間に配置されたコイル状のばねとを有して構成されている。また、ばね及びブリッジ部は、後方ストップリングとして機能するロック装置によってフェルールの長手方向に沿った移動が規制されている。
【０００４】
一対のクリップには、光サブアセンブリ側の端部にＬ型フィンガが設けられ、このＬ型フィンガとは反対側の端部にフィンガレバーが設けられている。一対のクリップは、フィンガレバーが把持されることによってブリッジ部を中心に揺動し、Ｌ型フィンガが拡開する。一方、光アセンブリには、Ｌ型フィンガに係合する環状のカラーが設けられている。
【０００５】
ユーザがフェルールを光サブアセンブリに取り付ける際には、一対のクリップのフィンガレバーを把持してクリップを揺動させ、それぞれのクリップのＬ型フィンガを拡開させてカラーの外周部に配置する。そして、フィンガレバーを離すことによってＬ型フィンガを光サブアセンブリのカラーに係合させる。これにより、フェルールが光サブアセンブリに固定される。
【先行技術文献】
【特許文献】
【０００６】
【特許文献１】特表２００９−５１４０３８号公報
【発明の概要】
【発明が解決しようとする課題】
【０００７】
しかし、特許文献１のロック機構では、フィンガレバーが光ファイバに沿ってブリッジ部よりもＬ型フィンガとは反対側に延びている。そのため、光ファイバに沿ったロック機構の長手方向の長さはフィンガレバーを含む一対のクリップの長さによって増大してしまう。
【０００８】
そこで、本発明は、小型化が可能なフェルール固定部材及びフェルール保持構造を提供することを目的とする。
【課題を解決するための手段】
【０００９】
本発明は、上記課題を解決することを目的として、光ファイバを保持するフェルールを、前記フェルールが挿入される保持穴が形成された保持部材に固定するフェルール固定部材であって、前記フェルールの外周側に配置された弾性部材をその径方向に挟んで互いに向かい合う第１及び第２の板部と、前記フェルールが前記弾性部材の復元力によって前記保持穴の奥側に押し付けられるように前記弾性部材を押圧する押圧部と、前記保持部材に形成された係止部に係止される被係止部と、前記第１の板部と前記被係止部との間に延在する延在部とを備え、前記被係止部は、前記第１及び第２の板部を互いに接近させることにより前記係止部との係止状態が解除されるフェルール固定部材を提供する。
【００１０】
また、本発明は、上記課題を解決することを目的として、上記フェルール固定部材と、前記弾性部材とを備え、前記フェルール固定部材の前記被係止部が前記保持部材の前記係止部に係止される際に前記弾性部材が前記フェルールの長手方向に沿って圧縮され、前記圧縮された前記弾性部材の復元力によって前記フェルールが前記保持部材に保持される、フェルール保持構造を提供する。
【発明の効果】
【００１１】
本発明に係るフェルール固定部材及びフェルール保持構造によれば、小型化が可能となる。
【図面の簡単な説明】
【００１２】
【図１】本発明の実施の形態に係るフェルール固定部材、及びフェルール固定部材によって固定される光サブアセンブリとフェルールを示す斜視図である。
【図２】フェルールの構成例を示す斜視図である。
【図３】光サブアセンブリの構成例を示す断面図である。
【図４】本発明の実施の形態に係るフェルール固定部材の構成例を示す斜視図である。
【図５】フェルール固定部材により、光サブアセンブリにフェルールを固定する工程を示し、（ａ）はフェルールが光サブアセンブリに挿入される前の状態における説明図、（ｂ）はフェルールにコイルばねを装着した状態における説明図、（ｃ）はフェルール固定部材を装着する直前の状態における説明図、（ｄ）はフェルール固定部材が装着された後の状態における説明図である。
【図６】フェルール固定部材が装着時に変形した状態における説明図である。
【図７】光アセンブリからフェルール固定部材を取り外す操作を示す説明図であり、（ａ）はフェルール固定部材の装着時、（ｂ）は、取り外し操作時の説明図である。
【発明を実施するための形態】
【００１３】
［実施の形態］
図１は、本発明の実施の形態に係るフェルール固定部材５、及びフェルール固定部材５によって固定されるフェルール１１と光サブアセンブリ１２とを示す全体構成図である。図２は、フェルール１１の構成例を示す斜視図である。図３は、光サブアセンブリ１２の構成例を示す。
【００１４】
本実施の形態に係るフェルール固定部材５は、光ファイバ９を保持するフェルール１１を、フェルール１１が挿入される保持穴３２０（図３に示す）が形成された保持部材３に固定する。フェルール１１は、図２に示すように、光ファイバ９を保持する筒状のキャピラリ１１１と、キャピラリ１１１から外方に向けて張り出して形成されたフランジ部１１２とを一体に有している。フランジ部１１２は、光ファイバ９の延伸方向における幅が、例えば１．８ｍｍである。光ファイバ９は、フェルール１１に取り付けられたゴムブーツ１１３に沿ってフェルール１１から引き出されている。
【００１５】
光サブアセンブリ１２は、送信用光サブアセンブリ（ＴＯＳＡ：Transmitter Optical Sub-Assembly）又は受信用光サブアセンブリ（ＲＯＳＡ：Receiver Optical Sub-Assembly）を適用することができる。
【００１６】
送信用光サブアセンブリ（ＴＯＳＡ）は、例えばＬＤ（Laser Diode）やＶＣＳＥＬ（Vertical Cavity Surface Emitting Laser）等の発光素子を備え、送信用光サブアセンブリ（ＴＯＳＡ）が搭載される回路基板に実装された他の電子部品から伝送された電気信号を光信号に変換し、光ファイバ９に向けて光を出射する。
【００１７】
一方、受信用光サブアセンブリ（ＲＯＳＡ）は、例えばＰＤ（Photo Diode）等の受光素子を備え、光ファイバ９を伝搬する光を入射して光信号を電気信号に変換し、受信用光サブアセンブリ（ＲＯＳＡ）が搭載される回路基板に実装された他の電子部品に電気信号を伝送する。
【００１８】
以下、光サブアセンブリ１２として受信用光サブアセンブリ（ＲＯＳＡ）を適用した場合について、より具体的に説明する。
【００１９】
光サブアセンブリ１２は、図３に示すように、前述の受光素子を有する光モジュール２と、保持穴３２０が形成された保持部３２を有する保持部材３とを備えている。
【００２０】
フェルール固定部材５は、フェルール保持部３２の外周に位置する筒部としての外周保持部５ａと、弾性部材としてのコイルばね６の弾性力によりフェルール１１を保持穴３２０の奥側（光モジュール２側）に押し付ける押圧部としてのばね押圧部５ｂとを一体に有している。本実施の形態では、外周保持部５ａが保持部３２の少なくとも一部を収容する断面四角形の角筒状に形成されているが、これに限らず円筒状であってもよい。フェルール固定部材５の詳細については後述する。
【００２１】
フェルール１１のフランジ部１１２は、フェルール固定部材５のばね押圧部５ｂに当接して圧縮されたコイルばね６によって保持穴３２０の奥側に押し付けられることにより、保持穴３２０の開口端面３２０ａに接触する。コイルばね６は、要求される押え荷重に応じて金属製のものあるいは樹脂製のものが選択される。なお、この弾性部材としては、コイルばねに替えて、板ばねやゴム材などの弾性変形材料を用いることもできる。
【００２２】
（光サブアセンブリ１２の構成）
光サブアセンブリ１２は、図３に示すように、前述の受光素子を有する光モジュール２と、フェルール１１を保持するフェルール保持部３２を有する保持部材３との組み合わせによって構成されている。光モジュール２は、受光素子を収容するステム２１及びレンズキャップ２２を有している。ステム２１は、レンズキャップ２２と共にＣＡＮパッケージを構成している。ステム２１は、複数（本実施の形態では４つであり、図３ではそのうち３つが表れている）のリードピン２１０によって、光サブアセンブリ１２が搭載される図略の回路基板と電気的に接続される。本実施の形態では、光ファイバ９から出射された光はレンズ２２２で集光されて受光素子に入射し、受光素子で光信号から電気信号に変換される。この電気信号は、複数のリードピン２１０を介して回路基板上に搭載された他の電子部品に電気信号が伝送される。
【００２３】
レンズキャップ２２は、光ファイバ９を伝搬する光を集光するレンズ２２２と、レンズ２２２を保持するキャップシェル２２１とを有している。キャップシェル２２１は、例えばＦｅＮｉ合金やステンレス等の導電性材料からなり、ステム２１とは反対側の端部中央に開口２２１ａを有している。レンズ２２２は、例えば光学ガラス製のボールレンズであり、キャップシェル２２１の開口２２１ａに低融点ガラス等を用いてガラス封止された状態で固定されている。
【００２４】
保持部材３は、光モジュール２を収容するための収容空間３１０が形成されたモジュール収容部３１と、フェルール１１が挿入される保持穴３２０が形成された筒部としてのフェルール保持部３２と、モジュール収容部３１及びフェルール保持部３２の間に配置された係止部３３とを一体に有している。モジュール収容部３１、フェルール保持部３２、及び係止部３３は、それぞれ円筒形状である。フェルール保持部３２は、フェルール１１の挿入方向における長さが、例えば５．１５ｍｍである。
【００２５】
係止部３３は、その外周に、後述するフェルール固定部材５の爪部５ｄを収容するための溝部３３１と、外周保持部５ａがフェルール１１の挿入方向に移動するのを規制し、かつ、爪部５ｄを係止するための鍔部３３２とが形成されている。鍔部３３２は、フェルール保持部３２の外方に張り出して形成され、フェルール１１の挿入方向における厚みは、例えば０．５５ｍｍである。
【００２６】
（フェルール固定部材５の構成）
図４は、本発明の実施の形態に係るフェルール固定部材５の構成例を示す。
【００２７】
フェルール固定部材５は、所定の形状に打ち抜かれた単板の板状素材を屈曲して成形されている。この板状素材の材料としては、例えばステンレス鋼やリン青銅等の高引張強度材料を好適に用いることができる。
【００２８】
フェルール固定部材５は、フェルール保持部３２の外周に装着される外周保持部５ａと、コイルばね６の復元力によってフェルール１１が保持穴３２０の奥側（光モジュール２側）に押し付けられるようにコイルばねを押圧するばね押圧部５ｂと、フェルール１１の外周側に配置されたコイルばね６をその径方向に挟んで互いに向かい合う第１板部５ｅ及び第２板部５ｆと、光サブアセンブリ１２に形成された係止部３３に係止される被係止部としての爪部５ｄと、第２の板部と爪部５ｄとの間に延在する延在部としての一対の腕部５ｇとを一体に備えている。
【００２９】
外周保持部５ａは、フェルール保持部３２を保持してフェルール１１の挿入方向に延設されている。第１板部５ｅは、外周保持部５ａの一方の端部とばね押圧部５ｂとの間に形成されている。
【００３０】
また、第１板部５ｅは、ばね押圧部５ｂの基端部から外周保持部５ａ側に向かって略直角に曲がって延在し、第２板部５ｆは、ばね押圧部５ｂの先端部から第１板部５ｅと平行に延在している。すなわち、ばね押圧部５ｂは、フェルール１１の長手方向における第１板部５ｅ及び第２板部５ｆの保持穴３２０とは反対側の端部の間を連結するように形成されている。第１板部５ｅ及び第２板部５ｆは長方形状であり、その長手方向がフェルール１１の挿入方向に略平行である。
【００３１】
外周保持部５ａには、組み付けの際に光ファイバ９を通過させる帯状のスリット５ｉが形成されている。ばね押圧部５ｂには、フェルール１１を挿通させる挿通孔としてのフェルール通過孔５ｈが形成されている。また、ばね押圧部５ｂ及び第２板部５ｆには、スリット５ｉと同様に光ファイバ９を通過させる帯状の光ファイバ通過用スリット５ｃがフェルール通過孔５ｈに連通し、スリット５ｉと平行に形成されている。
【００３２】
爪部５ｄは、その先端が９０°以上の角度（例えば１２０°〜１５０°角度）で曲げ加工され、図３に示した係止部３３の溝部３３１に収容されて鍔部３３２に係合する。爪部５ｄの先端は、ばね押圧部５ｂがコイルばね６の反力を受けることにより、鍔部３３２における溝部３３１側の側面に押し付けられる。また、爪部５ｄは、一対の腕部５ｇの先端部（第２板部５ｆ側の基端部とは反対側の端部）同士を連結している。
【００３３】
一対の腕部５ｇは、第２の板部５ｆにおけるばね押圧部５ｂとは反対側の端部から外周保持部５ａの他方の端部側（第１板部５ｅが設けられた側とは反対側）に延出され、その延在方向がフェルール１１の中心軸に平行な方向に対して第１の板部５ｅ側に傾斜している。一対の腕部５ｇは、互いに平行であり、外周保持部５ａをフェルール１１の径方向に挟むように設けられている。つまり、一対の腕部５ｇは、長方形状の第２板部５ｆの短辺方向の両端部から外周保持部５ａの軸方向に対して斜めに延出されている。
【００３４】
換言すれば、ばね押圧部５ｂに対して第１板部５ｅ側を上側、第２板部５ｆ側を下側とし、さらに外周保持部５ａの一方の端部側（第１板部５ｅが設けられた側）を右側、その反対側を左側とし、フェルール固定部材５を一対の腕部５ｇの並び方向から見たとき、一対の腕部５ｇは、外周保持部５ａに対して右下から左上に向かって斜めに交差し、爪部５ｄは、外周保持部５ａよりも上側に位置している。
【００３５】
図５は、フェルール固定部材５により、光サブアセンブリ１２にフェルール１１を固定する工程を示し、（ａ）はフェルール１１が光サブアセンブリ１２に挿入される前の状態における説明図、（ｂ）はフェルールにコイルばね６が取り付けられた状態における説明図、（ｃ）はフェルールが保持部に挿入された状態における説明図、（ｄ）はフェルール固定部材５が装着された状態における説明図である。
【００３６】
光サブアセンブリ１２にフェルール１１を固定する工程は、フェルール１１を光サブアセンブリ１２に挿入する挿入工程と、フェルール固定部材５を光サブアセンブリ１２に装着して光サブアセンブリ１２にフェルール１１を固定する固定工程とを有する。
【００３７】
挿入工程では、図５（ａ）に示すように、フェルール１１と光サブアセンブリ１２とを準備し、次に、図５（ｂ）に示すように、フェルール１１のキャピラリ１１１とゴムブーツ１１３の外周側にコイルばね６を装着する。
【００３８】
固定工程の開始段階では、図５（ｃ）に示すように光サブアセンブリ１２の保持部材３における保持部３２の保持穴３２０へ、その開口端面３２０ａ側からフェルール１１のキャピラリ１１１を挿入する。次に、フェルール固定部材５をフェルール１１の方向へ移動し、フェルール保持部３２を外周保持部５ａの中に通し、外周保持部５ａがフェルール保持部３２を囲むように位置させる。この工程において、フェルール１１のキャピラリ１１１の軸方向端面がばね押圧部５ｂに接すると、フェルール固定部材５のフェルール１１側への移動が規制される。すなわち、フェルール通過孔５ｈの大きさ（直径）は、フェルール１１のキャピラリ１１１の直径よりも小さく、かつゴムブーツ１１３の直径よりも大きく形成されている。
【００３９】
固定工程の最終段階では、図５（ｄ）に示すように、コイルばね６をばね押圧部５ｂの内面で圧縮しながらフェルール固定部材５の爪部５ｄを係止部３３の鍔部３３２に係止する。これによって、フェルール１１が光サブアセンブリ１２に固定される。
【００４０】
このように、フェルール固定部材５の爪部５ｄが保持部材３の係止部３３に係止される際にコイルばね６がフェルール１１の長手方向に沿って圧縮され、この圧縮されたコイルばね６の復元力によってフェルール１１が保持部材３に保持される。
【００４１】
図６は、フェルール固定部材５がフェルール１１を固定しているときに（ロック状態において）、フェルール固定部材５がコイルばね６の復元力（反力）によって変位しようとする方向を示す図である。コイルばね６の復元力は、ばね押圧部５ｂを第１板部５ｅ側の基端部に対して第２板部５ｆ側の先端部がフェルール１１のフランジ部１１２から離間するように傾斜させる。すると、一対の腕部５ｇは、ばね押圧部５ｂの傾斜に応じて第２板部５ｆ側（図面下側）に変位する方向の力を受ける。これにより、フェルール固定部材５は、図６の２点鎖線で示す状態から実線で示す状態に変形する力をコイルばね６から受ける。この変形の方向は、爪部５ｄが係止部３３の溝部３３１に食い込む方向であるので、コイルばね６の復元力によってフェルール固定部材５のロック状態が解除されることはない。
【００４２】
図７は、使用者がフェルール固定部材５のロック状態を解除する際に行う操作を示すものであり、（ａ）は、ロック状態にあるフェルール１１と光サブアセンブリ１２を、（ａ）は、アンロック状態にあるフェルール１１と光サブアセンブリ１２を、それぞれ示す。
【００４３】
爪部５ｄは、第１板部５ｅ及び第２板部５ｆを互いに接近させることにより光サブアセンブリ１２の係止部３３との係止状態が解除される。すなわち、フェルール１１と光サブアセンブリ１２がロック状態にあるとき、第１板部５ｅ及び第２板部５ｆを矢印の方向に押圧すると、爪部５ｄが係止部３３における溝部３３１の外周側に変位し、鍔部３３２との係止が解除されるので、フェルール１１と光サブアセンブリ１２との固定を解除することができる。
【００４４】
（実施の形態の作用及び効果）
以上説明した実施の形態によれば、以下のような作用及び効果が得られる。
【００４５】
（１）コイルばね６は、第１板部５ｅと第２板部５ｆとの間に配置されるので、フェルール１１の径方向においてコイルばね６と第１板部５ｅ及び第２板部５ｆとをオーバーラップさせて配置することができる。これにより、フェルール１１の軸方向におけるフェルール固定部材５の長さを短縮し、小型化することが可能となる。つまり、第１板部５ｅ及び第２板部５ｆは、ロック状態を解除する際、ばね押圧部５ｂの基端部及び先端部を支点として互いに接近するように弾性変形し、爪部５ｄは、フェルール１１の長手方向において、ばね押圧部５ｂとの間に第１板部５ｅ及び第２板部５ｆを挟む位置に形成されているので、例えば上記した従来の光トランシーバの構成のように、ばね押圧部５ｂの後端側（爪部５ｄとは反対側）にフィンガレバーを設けた場合に比較して、フェルール固定部材５の全長を短縮することができる。
【００４６】
（２）板状素材の屈曲によって形成されたフェルール固定部材５の寸法誤差により、各部の寸法が設計値どおりでなかったとしても、その寸法誤差がフェルール１１の押さえ荷重に与える影響は、コイルばね６の変形量によって大略吸収され、保持部材３へのフェルール１１の押し付け量を略一定に保つことができる。
【００４７】
（３）ばね押圧部５ｂには、フェルール通過孔５ｈが形成され、光ファイバ９は、その組み付け時において光ファイバ通過用スリット５ｃを通過し、キャピラリ１１１，ゴムブーツ１１３及び光ファイバ９は、フェルール通過孔５ｈに挿入される。これにより、組み付けを容易にすると共に、フェルール通過孔５ｈの周辺の部位でコイルばね６を押圧することで、安定的にフェルール１１を保持部材３に押し付けることができる。また、コイルばね６の軸となるフェルール１１の端部（キャピラリ１１１の一部）がフェルール挿通孔５ｈから突出することにより、フェルール１１の径方向に対する動きが規制される。フェルール１１の径方向に対する動きが規制されることによって、コイルばね６のフェルール１１の径方向に対する動きも規制され、フェルールの径方向の位置ずれによるコイルばね６のフェルール１１に対する押さえ荷重のばらつきを抑制することができる。
【００４８】
（４）一対の腕部５ｇは、その延在方向がフェルール１１の中心軸に平行な方向に対して第１の板部５ｅ側に傾斜しているので、第１板部５ｅ及び第２板部５ｆを互いに接近させることによって爪部５ｄの係止状態を解除することができ、フェルール固定部材５を容易に取り外すことができる。また、コイルばね６の反力が、前述のように爪部５ｄを係止部３３の溝部３３１に食い込ませる方向に作用するので、周辺の部材との干渉等によるフェルール固定部材５の意図しない離脱を抑制することができる。
【００４９】
（５）外周保持部５ａはフェルール保持部３２の少なくとも一部を収容しているので、保持部材３とフェルール固定部材５との相対的な位置関係を適切に保つことができる。
【００５０】
（６）爪部５ｄは、一対の腕部５ｇの端部同士を連結するので、フェルール固定部材５が係止部３３に係止される部位を１箇所にすることができ、例えば一対の腕部５ｇのそれぞれに被係止部としての爪部を設けた場合に比較して、フェルール固定部材５の取り外しが容易となる。
【００５１】
（実施の形態のまとめ）
次に、以上説明した実施の形態から把握される技術思想について、実施の形態における符号等を援用して記載する。ただし、以下の記載における各符号は、特許請求の範囲における構成要素を実施の形態に具体的に示した部材等に限定するものではない。
【００５２】
［１］光ファイバ（９）を保持するフェルール（１１）を、前記フェルール（１１）が挿入される保持穴（３２０）が形成された保持部材（３）に固定するフェルール固定部材（５）であって、前記フェルール（１１）の外周側に配置された弾性部材（６）をその径方向に挟んで互いに向かい合う第１及び第２の板部（５ｅ，５ｆ）と、前記フェルール（１１）が前記弾性部材（６）の復元力によって前記保持穴（３２０）の奥側に押し付けられるように前記弾性部材（６）を押圧する押圧部（５ｂ）と、前記保持部材（３）に形成された係止部（３３）に係止される被係止部（５ｄ）と、前記第２の板部（５ｆ）と前記被係止部（５ｄ）との間に延在する延在部（５ｇ）とを備え、前記被係止部（５ｄ）は、前記第１及び第２の板部（５ｅ，５ｆ）を互いに接近させることにより前記係止部（３３）との係止状態が解除されるフェルール固定部材（５）。
【００５３】
［２］前記押圧部（５ｂ）は、前記フェルール（１１）を挿通させる挿通孔（３２０）を有し、かつ前記フェルール（１１）の長手方向における前記第１及び第２の板部（５ｅ，５ｆ）の前記保持穴（３２０）とは反対側の端部の間を連結するように形成されている、［１］に記載のフェルール固定部材（５）。
【００５４】
［３］前記保持部材（３）の少なくとも一部を収容する筒部（５ａ）をさらに備え、前記第１の板部（５ｅ）は、前記筒部（５ａ）の一方の端部と前記押圧部（５ｂ）との間に形成された、［２］に記載のフェルール固定部材（５）。
【００５５】
［４］前記延在部（５ｇ）は、前記第２の板部（５ｆ）における前記押圧部（５ｂ）とは反対側の端部から前記筒部（５ａ）の他方の端部側に延出され、その延在方向が前記フェルール（１１）の中心軸に平行な方向に対して前記第１の板部（５ｅ）側に傾斜している、［３］に記載のフェルール固定部材（５）。
【００５６】
［５］前記延在部（５ｇ）は、前記筒部（５ａ）を挟む一対の腕部（５ｇ）からなり、前記被係止部（５ｄ）は、前記一対の腕部（５ｇ）の端部同士を連結する、［１］乃至［４］に記載のフェルール固定部材（５）。
【００５７】
［６］［１］乃至［５］の何れか１つに記載のフェルール固定部材（５）と、前記弾性部材（６）とを備え、前記フェルール固定部材（５）の前記被係止部（５ｄ）が前記保持部材（３）の前記係止部（３３）に係止される際に前記弾性部材（６）が前記フェルール（１１）の長手方向に沿って圧縮され、前記圧縮された前記弾性部材（６）の復元力によって前記フェルール（１１）が前記保持部材（３）に保持される、フェルール保持構造。
【００５８】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００５９】
本発明は、その趣旨を逸脱しない範囲で適宜変形して実施することが可能である。例えば、上記実施の形態では、保持部材３は、モジュール収容部３１と、フェルール保持部３２と、係止部３３とを一体に有していたが、これに限らず、別部材から形成されたものを組み合わせて構成されていてもよい。
【００６０】
また、上記実施の形態では、フェルール固定部材５の外周保持部５ａの断面は長方形状であったが、これに限らない。
【００６１】
また、上記実施の形態では、光サブアセンブリ１２は受信用光サブアセンブリ（ＲＯＳＡ）として説明したが、これに限らず、送信用光サブアセンブリ（ＴＯＳＡ）を適用してもよい。
【００６２】
また、光モジュール２の構成についても、特に制限はない。
【符号の説明】
【００６３】
２…光モジュール、３…保持部材、５…フェルール固定部材、５ａ…外周保持部（筒部）、５ｂ…ばね押圧部（押圧部）、５ｃ…光ファイバ通過用スリット、５ｄ…爪部（被係止部）、５ｅ…第１板部（第１の板部）、５ｆ…第２板部（第１の板部）、５ｇ…腕部（延在部）、５ｈ…フェルール通過孔（挿通孔）、５ｉ…スリット、６…コイルばね（弾性部材）、９…光ファイバ、１１…フェルール、１２…光サブアセンブリ、２１…ステム、２２…レンズキャップ、３１…モジュール収容部、３２…フェルール保持部、３３…係止部、１１１…キャピラリ、１１２…フランジ部、１１３…ゴムブーツ、２１０…リードピン、２２１…キャップシェル、２２１ａ…開口、２２２…レンズ、３１０…収容空間、３２０…保持穴、３２０ａ…開口端面、３３１…溝部、３３２…鍔部
【図１】
2014219441.tif 000003
【図２】
2014219441.tif 000004
【図３】
2014219441.tif 000005
【図４】
2014219441.tif 000006
【図５】
2014219441.tif 000007
【図６】
2014219441.tif 000008
【図７】
2014219441.tif 000009